(57)【要約】【課題】  インクジェット記録装置において、省電力モード時に、メンテナンス動作以外の所定の動作を許可するか否かを設定可能にすること。【解決手段】  各種Ｉ／Ｏや各種チップの消費電力が減少するように設定された電源ＯＦＦモード（省電力モード）中に、メンテナンス動作等の契機となるＲＴＣ割り込みが入ると（Ｓ６０：Ｙ）、各種Ｉ／Ｏや各種チップの消費電力を通常に設定してそれらに対応する割込処理（メンテナンス動作等）を実行する（Ｓ６３）。一方、ＦＡＸ受信等（所定の動作）の契機となるＣＩ割り込みがあった場合は（Ｓ６１：Ｙ）、FAX RECEIVE モードがＯＮの場合のみ（Ｓ６２：Ｙ）、それらに対する割り込みを許可する。ＣＩ割り込みに対する受信処理は、騒音を発生する可能性が高い一方、遅滞なく処理を実行したいという要請もある。従って、これらの処理を電源ＯＦＦモード中に許可するか否かを切替可能に構成することにより、極めて良好に使用者の要望を満たすことができる。【選択図】  図１１
2005035255.tif 000002
【特許請求の範囲】
【請求項１】
ノズルからインクを吐出することにより被記録媒体に画像を形成する記録ヘッドと、
上記画像の形成がなされないとき、上記ノズルの乾燥を防止するためのメンテナンス動作を定期的に実行するメンテナンス手段と、
を備えたインクジェット記録装置であって、
通常の電力を消費する通常電力モードと、この通常電力モードへと復帰するのに必要な部位以外への電力供給を削減する省電力モードとを切替可能な切替手段と、
上記省電力モード時に、上記メンテナンス動作及びこのメンテナンス動作以外の所定の動作を許可する許可モードと、上記メンテナンス動作を許可するものの上記所定の動作を禁止する禁止モードと、を設定可能なモード設定手段と、
備えたことを特徴とするインクジェット記録装置。
【請求項２】
通信回線と接続可能な接続手段と、
該接続手段に接続された通信回線を介して信号を受信する受信手段とを更に備え、
該受信手段が受信した信号が画像データであったとき、上記記録ヘッドはその画像データに基づいて被記録媒体上に画像を形成可能であり、
上記所定の動作は、少なくとも上記受信手段による画像データの受信を含むことを特徴とする請求項１記載のインクジェット記録装置。
【請求項３】
上記受信手段は音声信号を受信可能であり、その音声を記憶する記憶手段を更に備え、
上記所定の動作は、上記記憶手段による上記音声信号の記憶を含むことを特徴とする請求項２記載のインクジェット記録装置。
【請求項４】
上記省電力モード時に、上記メンテナンス動作または上記所定の動作を実行可能であると共に上記通常電力モードとは異なる一時復帰モードへとモードを移行可能なモード移行制御手段と、
少なくとも上記メンテナンス動作を実行するための割り込み及び上記所定の動作を実行するための割り込みを認識する割り込み認識手段と、
を備え、
上記許可モード時には、上記割り込み認識手段が上記メンテナンス動作を実行するための割り込みまたは上記所定の動作を実行するための割り込みを認識した場合にのみ、上記モード移行制御手段は上記省電力モードから上記一時復帰モードへとモードを移行し、
上記禁止モード時には、上記割り込み認識手段が上記メンテナンス動作を実行するための割り込みを認識した場合にのみ、上記モード移行制御手段は上記省電力モードから上記一時復帰モードへとモードを移行することを特徴とする請求項１記載のインクジェット記録装置。
【請求項５】
上記一時復帰モードで上記割り込みに対応する動作が終了したとき、上記モード移行制御手段は上記一時復帰モードから上記省電力モードへとモードを移行することを特徴とする請求項４記載のインクジェット記録装置。
【請求項６】
通信回線と接続可能な接続手段と、
該接続手段に接続された通信回線を介して信号を受信する受信手段とを更に備え、
該受信手段が受信した信号が画像データであったとき、上記記録ヘッドはその画像データに基づいて被記録媒体上に画像を形成可能であり、
上記所定の動作は、少なくとも上記受信手段による画像データの受信を含むことを特徴とする請求項４または５記載のインクジェット記録装置。
【請求項７】
上記受信手段は音声信号を受信可能であり、その音声を記憶する記憶手段を更に備え、
上記所定の動作は、上記記憶手段による上記音声信号の記憶を含むことを特徴とする請求項６記載のインクジェット記録装置。
【請求項８】
上記モード移行制御手段が、上記一時復帰モードから上記通常電力モードへもモードを移行可能に構成され、
上記記憶手段が上記一時復帰モードで新たな音声信号を記憶したとき、上記モード移行制御手段は上記一時復帰モードから上記通常電力モードへとモードを移行することを特徴とする請求項７記載のインクジェット記録装置。
【請求項９】
予め設定された時刻に、上記通信回線を介して画像データを送信するタイマ送信手段を、更に備え、
上記省電力モード時に上記禁止モードが設定されている場合には、予め設定された時刻になっても上記タイマ送信手段の動作は禁止されることを特徴とする請求項６〜８のいずれかに記載のインクジェット記録装置。
【請求項１０】
上記切替手段が上記省電力モードから上記通常電力モードへと切り替えたとき、上記タイマ送信手段は上記予め設定された時刻が経過している画像データを上記通信回線を介して送信することを特徴とする請求項９記載のインクジェット記録装置。
【請求項１１】
予め設定された時刻に、上記通信回線を介して画像データを送信するタイマ送信手段を、更に備え、
上記省電力モード時に上記禁止モードが設定されていても、予め設定された時刻になったら上記タイマ送信手段の動作を許可することを特徴とする請求項６〜８のいずれかに記載のインクジェット記録装置。
【請求項１２】
当該装置内に収容されているインク量を検出する検出手段を、更に備え、
上記モード移行制御手段が、上記一時復帰モードから上記通常電力モードへもモードを移行可能に構成され、
上記メンテナンス手段が上記一時復帰モードでメンテナンス動作を実行する前に、上記検出手段がインク量が基準量よりも少ないことを検出した場合には、上記モード移行制御手段は、上記一時復帰モードから上記通常電力モードへとモードを移行することを特徴とする請求項４〜１１のいずれかに記載のインクジェット記録装置。
【請求項１３】
上記検出手段がインク量が基準量よりも少ないことを検出した場合には、上記メンテナンス手段は上記メンテナンス動作を実行しないことを特徴とする請求項１２記載のインクジェット記録装置。
【請求項１４】
上記メンテナンス手段がメンテナンス動作を実行するとき、所定の騒音レベルの第１のメンテナンスモードと、この第１のメンテナンスモードよりも騒音レベルの低い第２のメンテナンスモードとを備え、
上記禁止モードが設定されているとき、上記メンテナンス手段は上記第２のメンテナンスモードにてメンテナンス動作を実行することを特徴とする請求項４〜１３のいずれかに記載のインクジェット記録装置。
【請求項１５】
上記メンテナンス手段がメンテナンス動作を実行するとき、所定の騒音レベルの第１のメンテナンスモードと、この第１のメンテナンスモードよりも騒音レベルの低い第２のメンテナンスモードとを備え、
上記省電力モード時には、上記メンテナンス手段が上記第２のメンテナンスモードにてメンテナンス動作を実行することを特徴とする請求項４〜１３のいずれかに記載のインクジェット記録装置。
【請求項１６】
上記記録ヘッドを被記録媒体に対して移動させるキャリッジを備えており、
上記第２のメンテナンスモード時には、上記キャリッジの移動速度を上記第１のメンテナンスモード時よりも低減させることを特徴とする請求項１４または１５記載のインクジェット記録装置。
【請求項１７】
上記メンテナンス手段は、上記記録ヘッドのノズルに対して負圧を印加して吸引動作を行う吸引ポンプを備え、
上記第２のメンテナンスモード時には、上記吸引ポンプの駆動速度を上記第１のメンテナンスモード時よりも低減させることを特徴とする請求項１４〜１６のいずれかに記載のインクジェット記録装置。
【請求項１８】
更に、各種表示を行う表示手段を備え、
上記省電力モード時には、上記表示手段による表示が禁止されることを特徴とする請求項１〜１７のいずれかに記載のインクジェット記録装置。
【請求項１９】
上記切替手段は、当該装置に配設されたソフトウェア電源キーであることを特徴とする請求項１〜１８のいずれかに記載のインクジェット記録装置。
【発明の詳細な説明】
【技術分野】
【０００１】
本発明は、ノズルからインクを吐出することにより被記録媒体に画像を形成する記録ヘッドを備えたインクジェット記録装置に関し、詳しくは、ＣＰＵがアクティブ状態にあって各種動作をすぐに実行可能な通常電力モードと、この通常電力モードへと復帰するのに必要な部位以外への電力供給を削減すると共に、通常電力モードへと復帰するに際して各ポートの設定等各種初期設定の必要な省電力モードとを切替可能なインクジェット記録装置に関する。
【背景技術】
【０００２】
従来より、ノズルからインクを吐出することにより被記録媒体に画像を形成する記録ヘッドと、上記画像の形成がなされないとき、上記ノズルの乾燥を防止するためのメンテナンス動作を定期的に実行するメンテナンス手段と、を備えたインクジェット記録装置が知られている。この種のインクジェット記録装置では、記録ヘッドは、ノズルからインクを吐出することにより記録紙等の被記録媒体に画像を形成する。また、ノズルに付着したまま残ったインクがそのまま固化すると、次に画像を形成しようとしたときにノズルから良好にインクが吐出されない。そこで、上記画像の形成がしばらくの間なされないとき、メンテナンス手段は上記ノズルの乾燥を防止するためのメンテナンス動作を定期的に実行する。
【０００３】
この種のインクジェット記録装置では、ＣＰＵがアクティブ状態にあって各種動作をすぐに実行可能な通常電力モードと、この通常電力モードへと復帰するのに必要な部位以外への電力供給を削減すると共に、通常電力モードへと復帰するに際して各ポートの設定等各種初期設定の必要な省電力モードとを切替可能に構成し、夜間などには省電力モードに切り替えることが考えられている。ところが、省電力モードに切り替えている間にも、上記メンテナンス動作は定期的に実行するのが望ましい。そこで、省電力モード時にも所定のタイミングで、一旦、通常電力モードに復帰させ、上記メンテナンス動作を実行した後再び省電力モードへ移行させることが提案されている（例えば、特許文献１参照）。
【０００４】
また、省電力モードを解除するトリガとしては、そのインクジェット記録装置がファクシミリ装置である場合はＣＩ（Call Indicator）を受信したときなど、メンテナンス動作のタイミング以外にも種々のトリガが提案されている（例えば、特許文献２参照）。
【特許文献１】特開２００２−１０３５９１号公報
【特許文献２】特開平９−５５８１２号公報
【発明の開示】
【発明が解決しようとする課題】
【０００５】
ところが、レーザー記録方式やサーマル記録方式を使用する場合と異なり、インクジェット記録方式では、長期間使わない場合にコンセント等を抜いて商用電源から切り離してしまうと、前述したようなメンテナンス動作が不可能となり、再度コンセントを挿して商用電源を供給しても、正常な印刷ができないおそれがある。
【０００６】
そのため、通常は常時通電して、前述したように消費電力の少ない省電力モードで待機する方法を採用しているが、この方法では省電力モードから通常電力モードへ復帰するために各種割り込み（内部センサ、タイマー、外部入力等）を監視しているので、不用意にカバーを開けただけでも省電力モードから通常電力モードに復帰してしまうという問題があった。
【０００７】
また、一定時間が経過して再度省電力モードに入るまでは、通常電力モードのまま待機するので、その間は電力を無駄にすることになるという問題もあった。
更に、見た目には電源が切られているようにするためのソフトウェア電源キーを持つファクシミリ装置においては、ユーザーによっては電源が切れているのと同様の挙動（電源キーをＯＮの状態にしない限り、動作しない状態を維持すること）を希望する場合があるが、ソフトウェア電源キーをＯＦＦ状態にしてもＬＡＮ回線や電話回線から呼び出し信号を受信したり割り込みを検出したりすると通常電力モードに復帰してしまうので、その希望を実現できないという課題もあった。
【０００８】
当然、ユーザーによってはそれらの受信あるいは他の割り込み等によって通常電力モードに復帰することを希望することもあるが、従来の構成では、それらの要望を全て満たすことはできなかった。
【０００９】
このような課題はファクシミリ装置以外の場合でも想定され、例えば、ネットワークプリンタ等でも同様の課題が生じる可能性がある。
そこで、本発明は、インクジェット記録装置において、省電力モード時に、メンテナンス動作以外の所定の動作を許可するか否かを設定可能にすることを目的としてなされた。
【課題を解決するための手段】
【００１０】
上記目的を達するためになされた請求項１記載の発明は、ノズルからインクを吐出することにより被記録媒体に画像を形成する記録ヘッドと、上記画像の形成がなされないとき、上記ノズルの乾燥を防止するためのメンテナンス動作を定期的に実行するメンテナンス手段と、を備えたインクジェット記録装置であって、通常の電力を消費する通常電力モードと、この通常電力モードへと復帰するのに必要な部位以外への電力供給を削減する省電力モードとを切替可能な切替手段と、上記省電力モード時に、上記メンテナンス動作及びこのメンテナンス動作以外の所定の動作を許可する許可モードと、上記メンテナンス動作を許可するものの上記所定の動作を禁止する禁止モードと、を設定可能なモード設定手段と、備えたことを特徴とする。
【００１１】
このように構成された本発明では、切替手段によって省電力モードに切り替えると、通常の電力を消費する通常電力モードへと復帰するのに必要な部位以外への電力供給を削減することができる。そして、モード設定手段による設定により、省電力モード時にメンテナンス動作及びこのメンテナンス動作以外の所定の動作を許可する許可モードと、メンテナンス動作を許可するものの上記所定の動作を禁止する禁止モードと、を設定することができる。このため、モード設定手段により許可モードを設定しておけば、省電力モード時に、メンテナンス動作及びこのメンテナンス動作以外の所定の動作が許可される。一方、モード設定手段により禁止モードを設定しておけば、省電力モード時に、メンテナンス動作は許可されるものの上記所定の動作は禁止される。
【００１２】
請求項２記載の発明は、請求項１記載の構成に加え、通信回線と接続可能な接続手段と、該接続手段に接続された通信回線を介して信号を受信する受信手段とを更に備え、該受信手段が受信した信号が画像データであったとき、上記記録ヘッドはその画像データに基づいて被記録媒体上に画像を形成可能であり、上記所定の動作は、少なくとも上記受信手段による画像データの受信を含むことを特徴とする。
【００１３】
本発明では、接続手段に接続された通信回線を介して受信手段が画像データを受信したとき、記録ヘッドはその画像データに基づいて被記録媒体上に画像を形成することができる。そして、本発明では、上記所定の動作が、少なくとも受信手段による上記画像データの受信を含んでいる。
【００１４】
請求項３記載の発明は、上記受信手段は音声信号を受信可能であり、その音声を記憶する記憶手段を更に備え、請求項２記載の構成に加え、上記所定の動作は、上記記憶手段による上記音声信号の記憶を含むことを特徴とする。
【００１５】
本発明では、上記所定の動作が、受信手段を介して受信した音声信号を記憶手段が記憶する動作を含んでいる。
請求項４記載の発明は、請求項１記載の構成に加え、上記省電力モード時に、上記メンテナンス動作または上記所定の動作を実行可能であると共に上記通常電力モードとは異なる一時復帰モードへとモードを移行可能なモード移行制御手段と、少なくとも上記メンテナンス動作を実行するための割り込み及び上記所定の動作を実行するための割り込みを認識する割り込み認識手段と、を備え、上記許可モード時には、上記割り込み認識手段が上記メンテナンス動作を実行するための割り込みまたは上記所定の動作を実行するための割り込みを認識した場合にのみ、上記モード移行制御手段は上記省電力モードから上記一時復帰モードへとモードを移行し、上記禁止モード時には、上記割り込み認識手段が上記メンテナンス動作を実行するための割り込みを認識した場合にのみ、上記モード移行制御手段は上記省電力モードから上記一時復帰モードへとモードを移行することを特徴とする。
【００１６】
本発明では、割り込み認識手段が、少なくともメンテナンス動作を実行するための割り込み及び上記所定の動作を実行するための割り込みを認識する。そして、許可モード時には、割り込み認識手段がメンテナンス動作を実行するための割り込みまたは上記所定の動作を実行するための割り込みを認識した場合にのみ、モード移行制御手段は省電力モードから一時復帰モードへとモードを移行する。すると、この一時復帰モードにより、メンテナンス動作または上記所定の動作が実行可能になる。一方、禁止モード時には、割り込み認識手段がメンテナンス動作を実行するための割り込みを認識した場合にのみ、モード移行制御手段は省電力モードから一時復帰モードへとモードを移行する。すると、この一時復帰モードにより、メンテナンス動作が実行可能になる。
【００１７】
このように、本発明では、省電力モードで、かつ、許可モードであるときにおけるメンテナンス動作及び上記所定の動作の実行、或いは、省電力モードで、かつ、禁止モードであるときにおけるメンテナンス動作の実行を、通常電力モードとは異なる一時復帰モードへ移行することによって行っている。また、上記所定の動作を許可するか否かは、割り込み認識手段がその所定の動作を実行するための割り込みを認識した場合に、上記一時復帰モードへ移行するか否かによって切り替えている。
【００１８】
請求項５記載の発明は、請求項４記載の構成に加え、上記一時復帰モードで上記割り込みに対応する動作が終了したとき、上記モード移行制御手段は上記一時復帰モードから上記省電力モードへとモードを移行することを特徴とする。
【００１９】
本発明では、一時復帰モードで上記割り込みに対応する動作が終了したとき、モード移行制御手段は一時復帰モードから省電力モードへとモードを移行する。このため、割り込みに対応する動作（メンテナンス動作または上記所定の動作）の終了後には、省電力モードへ戻すことによって消費電力を低減することができる。
【００２０】
請求項６記載の発明は、請求項４または５記載の構成に加え、通信回線と接続可能な接続手段と、該接続手段に接続された通信回線を介して信号を受信する受信手段とを更に備え、該受信手段が受信した信号が画像データであったとき、上記記録ヘッドはその画像データに基づいて被記録媒体上に画像を形成可能であり、上記所定の動作は、少なくとも上記受信手段による画像データの受信を含むことを特徴とする。
【００２１】
本発明では、接続手段に接続された通信回線を介して受信手段が画像データを受信したとき、記録ヘッドはその画像データに基づいて被記録媒体上に画像を形成することができる。そして、本発明では、上記所定の動作が、少なくとも受信手段による上記画像データの受信を含んでいる。
【００２２】
請求項７記載の発明は、請求項６記載の構成に加え、上記受信手段は音声信号を受信可能であり、その音声を記憶する記憶手段を更に備え、上記所定の動作は、上記記憶手段による上記音声信号の記憶を含むことを特徴とする。
【００２３】
本発明では、上記所定の動作が、受信手段を介して受信した音声信号を記憶手段が記憶する動作を含んでいる。
請求項８記載の発明は、請求項７記載の構成に加え、上記モード移行制御手段が、上記一時復帰モードから上記通常電力モードへもモードを移行可能に構成され、上記記憶手段が上記一時復帰モードで新たな音声信号を記憶したとき、上記モード移行制御手段は上記一時復帰モードから上記通常電力モードへとモードを移行することを特徴とする。
【００２４】
本発明では、記憶手段が一時復帰モードで新たな音声信号を記憶したとき、モード移行制御手段は一時復帰モードから通常電力モードへとモードを移行する。通常電力モードでは、各種報知や警報の発生が容易にでき、上記のように新たな音声信号を記憶したことも使用者に一層確実に報知できる。
【００２５】
請求項９記載の発明は、請求項６〜８のいずれかに記載の構成に加え、予め設定された時刻に、上記通信回線を介して画像データを送信するタイマ送信手段を、更に備え、上記省電力モード時に上記禁止モードが設定されている場合には、予め設定された時刻になっても上記タイマ送信手段の動作は禁止されることを特徴とする。
【００２６】
本発明では、禁止モードが設定されている場合には、省電力モード時に予め設定された時刻になってもタイマ送信手段が通信回線を介して画像データを送信する動作は禁止される。
【００２７】
請求項１０記載の発明は、請求項９記載の構成に加え、上記切替手段が上記省電力モードから上記通常電力モードへと切り替えたとき、上記タイマ送信手段は上記予め設定された時刻が経過している画像データを上記通信回線を介して送信することを特徴とする。
【００２８】
本発明では、切替手段によって省電力モードから通常電力モードへと切り替えられると、タイマ送信手段は予め設定された時刻が経過している画像データを通信回線を介して送信する。
【００２９】
請求項１１記載の発明は、請求項６〜８のいずれかに記載の構成に加え、予め設定された時刻に、上記通信回線を介して画像データを送信するタイマ送信手段を、更に備え、上記省電力モード時に上記禁止モードが設定されていても、予め設定された時刻になったら上記タイマ送信手段の動作を許可することを特徴とする。
【００３０】
本発明では、禁止モードが設定されている場合でも、予め設定された時刻になるとタイマ送信手段が通信回線を介して画像データを送信する。
請求項１２記載の発明は、請求項４〜１１のいずれかに記載の構成に加え、当該装置内に収容されているインク量を検出する検出手段を、更に備え、上記モード移行制御手段が、上記一時復帰モードから上記通常電力モードへもモードを移行可能に構成され、上記メンテナンス手段が上記一時復帰モードでメンテナンス動作を実行する前に、上記検出手段がインク量が基準量よりも少ないことを検出した場合には、上記モード移行制御手段は、上記一時復帰モードから上記通常電力モードへとモードを移行することを特徴とする。
【００３１】
本発明では、検出手段が、当該装置内に収容されているインク量を検出する。そして、メンテナンス手段が一時復帰モードでメンテナンス動作を実行する前に、検出手段がインク量が基準量よりも少ないことを検出した場合には、モード移行制御手段は、一時復帰モードから通常電力モードへとモードを移行する。通常電力モードでは、各種報知や警報の発生が容易にでき、上記のようにインク量が基準量よりも少なくなったことも使用者に一層確実に報知できる。
【００３２】
請求項１３記載の発明は、請求項１２記載の構成に加え、上記検出手段がインク量が基準量よりも少ないことを検出した場合には、上記メンテナンス手段は上記メンテナンス動作を実行しないことを特徴とする。
【００３３】
インク量が基準量よりも少ないときにメンテナンス動作を実行すると、却って記録ヘッドに悪影響を与える可能性がある。そこで、本発明では、検出手段がインク量が基準量よりも少ないことを検出した場合、メンテナンス手段はメンテナンス動作を実行しない。
【００３４】
請求項１４記載の発明は、請求項４〜１３のいずれかに記載の構成に加え、上記メンテナンス手段がメンテナンス動作を実行するとき、所定の騒音レベルの第１のメンテナンスモードと、この第１のメンテナンスモードよりも騒音レベルの低い第２のメンテナンスモードとを備え、上記禁止モードが設定されているとき、上記メンテナンス手段は上記第２のメンテナンスモードにてメンテナンス動作を実行することを特徴とする。
【００３５】
本発明では、メンテナンス手段が、所定の騒音レベルの第１のメンテナンスモードと、この第１のメンテナンスモードよりも騒音レベルの低い第２のメンテナンスモードとを備えている。そして、禁止モードが設定されているとき、メンテナンス手段は第２のメンテナンスモードにてメンテナンス動作を実行する。
【００３６】
請求項１５記載の発明は、請求項４〜１３のいずれかに記載の構成に加え、上記メンテナンス手段がメンテナンス動作を実行するとき、所定の騒音レベルの第１のメンテナンスモードと、この第１のメンテナンスモードよりも騒音レベルの低い第２のメンテナンスモードとを備え、上記省電力モード時には、上記メンテナンス手段が上記第２のメンテナンスモードにてメンテナンス動作を実行することを特徴とする。
【００３７】
本発明では、メンテナンス手段が、所定の騒音レベルの第１のメンテナンスモードと、この第１のメンテナンスモードよりも騒音レベルの低い第２のメンテナンスモードとを備えている。そして、省電力モード時には、メンテナンス手段は第２のメンテナンスモードにてメンテナンス動作を実行する。
【００３８】
請求項１６記載の発明は、請求項１４または１５記載の構成に加え、上記記録ヘッドを被記録媒体に対して移動させるキャリッジを備えており、上記第２のメンテナンスモード時には、上記キャリッジの移動速度を上記第１のメンテナンスモード時よりも低減させることを特徴とする。
【００３９】
本発明では、第２のメンテナンスモード時には、記録ヘッドを被記録媒体に対して移動させるキャリッジの移動速度を、第１のメンテナンスモード時よりも低減させる。このため、キャリッジの移動に伴う騒音が低減する。
【００４０】
請求項１７記載の発明は、請求項１４〜１６のいずれかに記載の構成に加え、上記メンテナンス手段は、上記記録ヘッドのノズルに対して負圧を印加して吸引動作を行う吸引ポンプを備え、上記第２のメンテナンスモード時には、上記吸引ポンプの駆動速度を上記第１のメンテナンスモード時よりも低減させることを特徴とする。
【００４１】
本発明では、第２のメンテナンスモード時には、記録ヘッドのノズルに対して負圧を印加する吸引ポンプの駆動速度を第１のメンテナンスモード時よりも低減させる。このため、吸引ポンプの駆動に伴う騒音が低減する。
【００４２】
請求項１８記載の発明は、請求項１〜１７のいずれかに記載の構成に加え、更に、各種表示を行う表示手段を備え、上記省電力モード時には、上記表示手段による表示が禁止されることを特徴とする。
【００４３】
本発明では、省電力モード時には、表示手段による表示を禁止しているので消費電力を一層低減することができる。
請求項１９記載の発明は、請求項１〜１８のいずれかに記載の構成に加え、上記切替手段は、当該装置に配設されたソフトウェア電源キーであることを特徴とする。
【００４４】
本発明では、切替手段としてそのインクジェット記録装置に配設されたソフトウェア電源キーを利用しているので、通常電力モードと省電力モードとを極めて容易に切り替えることができる。
【発明の効果】
【００４５】
このように、請求項１記載の発明では、モード設定手段により許可モードを設定しておけば、省電力モード時に、メンテナンス動作及びこのメンテナンス動作以外の所定の動作を許可することができる。一方、モード設定手段により禁止モードを設定しておけば、省電力モード時に、メンテナンス動作は許可するものの上記所定の動作は禁止することができる。従って、省電力モード時に、メンテナンス動作以外の所定の動作を許可するか否かを、使用者の希望に応じて任意に設定可能にすることができる。
【００４６】
請求項２記載の発明では、上記所定の動作が、少なくとも受信手段による画像データの受信を含んでいる。このような画像データを受信して対応する画像を形成する場合、比較的大きな音がする。また、このような画像データの受信は省電力モード時でも遅滞なく行いたい場合がある。本発明では、上記所定動作としてこのような動作を含んでいるので、請求項１記載の発明の効果に加えて、上記所定の動作を許可するか否かを任意に設定可能にする効果が一層顕著に表れるといった効果が生じる。
【００４７】
請求項３記載の発明では、上記所定の動作が、受信手段を介して受信した音声信号を記憶手段が記憶する動作を含んでいる。このような音声信号の記憶も、使用者の好みによって、省電力モード時に許可するのが望まれたり許可しないのが望まれたりする。従って、本発明では、請求項２記載の発明の効果に加えて、上記所定の動作を許可するか否かを任意に設定可能にする効果が一層顕著に表れるといった効果が生じる。
【００４８】
請求項４記載の発明では、省電力モードで、かつ、許可モードであるときにおけるメンテナンス動作及び上記所定の動作の実行、或いは、省電力モードで、かつ、禁止モードであるときにおけるメンテナンス動作の実行を、通常電力モードとは異なる一時復帰モードへ移行することによって行っている。このため、請求項１記載の発明の効果に加えて、次のように一時復帰モードによる動作の終了後には省電力モードに戻すなど、通常電力モードとは制御を異ならせることが容易にできるといった効果が生じる。また、本発明では、上記所定の動作を許可するか否かを、その所定の動作を実行するための割り込みを認識した場合に、上記一時復帰モードへ移行するか否かによって切り替えている。このため、上記所定の動作の禁止・許可を一層確実に設定することができる。
【００４９】
請求項５記載の発明では、割り込みに対応する動作（メンテナンス動作または上記所定の動作）の終了後には、省電力モードへ戻すことによって消費電力を低減することができる。従って、本発明では、請求項４記載の発明の効果に加えて、インクジェット記録装置全体としての消費電力を一層良好に低減することができるといった効果が生じる。
【００５０】
請求項６記載の発明では、上記所定の動作が、少なくとも受信手段による画像データの受信を含んでいる。このような画像データを受信して対応する画像を形成する場合、比較的大きな音がする。また、このような画像データの受信は省電力モード時でも遅滞なく行いたい場合がある。本発明では、上記所定動作としてこのような動作を含んでいるので、請求項４または５記載の発明の効果に加えて、上記所定の動作を許可するか否かを任意に設定可能にする効果が一層顕著に表れるといった効果が生じる。
【００５１】
請求項７記載の発明では、上記所定の動作が、受信手段を介して受信した音声信号を記憶手段が記憶する動作を含んでいる。このような音声信号の記憶も、使用者の好みによって、省電力モード時に許可するのが望まれたり許可しないのが望まれたりする。従って、本発明では、請求項６記載の発明の効果に加えて、上記所定の動作を許可するか否かを任意に設定可能にする効果が一層顕著に表れるといった効果が生じる。
【００５２】
請求項８記載の発明では、記憶手段が新たな音声信号を記憶したとき、通常電力モードへとモードを移行させて、各種報知や警報の発生が容易にできるようになる。従って、本発明では、請求項７記載の発明の効果に加えて、上記のように新たな音声信号を記憶したことを使用者に一層確実に報知することができるといった効果が生じる。
【００５３】
請求項９記載の発明では、禁止モードが設定されている場合には、省電力モード時に予め設定された時刻になってもタイマ送信手段が通信回線を介して画像データを送信する動作は禁止される。このように画像データを送信する場合、比較的大きな音がする。本発明では、禁止モードを設定することにより省電力モード時の上記送信動作を禁止しているので、請求項６〜８のいずれかに記載の発明の効果に加えて、禁止モードの設定時には一層良好に騒音を減らすことができるといった効果が生じる。
【００５４】
請求項１０記載の発明では、切替手段によって省電力モードから通常電力モードへと切り替えることにより、タイマ送信手段に予め設定された時刻が経過している画像データを、自動的にタイマ送信手段によって通信回線を介して送信することができる。このため、騒音を抑制する必要性が少ない通常電力モードへと切り替えられると即座に画像データを送信することができる。従って、本発明では、請求項９記載の発明の効果に加えて、省電力モード時の騒音を抑制しつつ、タイマ送信手段が送信するはずであった画像データをできるだけ早期に送信することができるといった効果が生じる。
【００５５】
請求項１１記載の発明では、省電力モード時に禁止モードが設定されている場合でも、予め設定された時刻になるとタイマ送信手段が通信回線を介して画像データを送信する。このように画像データを送信する処理は、遅滞なく行いたい場合がある。本発明では、禁止モードが設定されていても上記送信動作は予め設定された時間に行われるので、請求項６〜８のいずれかに記載の発明の効果に加えて、上記送信動作を予め設定された時刻に遅滞なく行うことができるといった効果が生じる。
【００５６】
請求項１２記載の発明では、インク量が基準量よりも少なくなった場合、通常電力モードへとモードを移行させて、各種報知や警報の発生が容易にできるようになる。従って、本発明では、請求項４〜１１のいずれかに記載の発明の効果に加えて、上記のようにインク量が基準量よりも少なくなったことを使用者に一層確実に報知することができるといった効果が生じる。
【００５７】
請求項１３記載の発明では、検出手段がインク量が基準量よりも少ないことを検出した場合、メンテナンス手段はメンテナンス動作を実行しない。このため、本発明では、請求項１２記載の発明の効果に加えて、記録ヘッドを一層良好に保護することができるといった効果が生じる。
【００５８】
請求項１４記載の発明では、禁止モードが設定されているとき、メンテナンス手段は低騒音の第２のメンテナンスモードにてメンテナンス動作を実行する。このため、本発明では、請求項４〜１３のいずれかに記載の発明の効果に加えて、禁止モードが設定されているときの低騒音化を一層良好に推進することができるといった効果が生じる。
【００５９】
請求項１５記載の発明では、省電力モード時に、メンテナンス手段は低騒音の第２のメンテナンスモードにてメンテナンス動作を実行する。このため、本発明では、請求項４〜１３のいずれかに記載の発明の効果に加えて、省電力モード時における低騒音化を一層良好に推進することができるといった効果が生じる。
【００６０】
請求項１６記載の発明では、第２のメンテナンスモード時には、キャリッジの移動速度を第１のメンテナンスモード時よりも低減させ、キャリッジの移動に伴う騒音を低減させている。このため、本発明では、請求項１４または１５記載の発明の効果に加えて、禁止モードが設定されているとき、または省電力モード時における低騒音化を、一層良好に推進することができるといった効果が生じる。
【００６１】
請求項１７記載の発明では、第２のメンテナンスモード時には、吸引ポンプの駆動速度を第１のメンテナンスモード時よりも低減させ、吸引ポンプの駆動に伴う騒音を低減させている。このため、請求項１４〜１６のいずれかに記載の発明の効果に加えて、禁止モードが設定されているとき、または省電力モード時における低騒音化を、一層良好に推進することができるといった効果が生じる。
【００６２】
請求項１８記載の発明では、省電力モード時には、表示手段による表示を禁止しているので消費電力を一層低減することができる。従って、本発明では、請求項１〜１７のいずれかに記載の発明の効果に加えて、インクジェット記録装置全体としての消費電力を一層良好に低減することができるといった効果が生じる。
【００６３】
請求項１９記載の発明では、切替手段としてそのインクジェット記録装置に配設されたソフトウェア電源キーを利用しているので、通常電力モードと省電力モードとを極めて容易に切り替えることができる。従って、本発明では、請求項１〜１８のいずれかに記載の発明の効果に加えて、装置の操作性を一層良好に向上させることができるといった効果が生じる。
【発明を実施するための最良の形態】
【００６４】
次に、本発明の実施の形態を図面と共に説明する。図１は、本発明が適用されたインクジェット記録装置としての複合機１００の外観を表す斜視図、図２は、その複合機１００に内蔵された画像形成部１の構成を表す斜視図である。なお、この複合機１００は、プリンタ，コピー，スキャナ，及びファクシミリとしての機能を有する装置である。
【００６５】
先ず、図２に基づき、画像形成部１の構成について説明する。図２に示すように、画像形成部１は、記録紙Ｐ（被記録媒体に相当）にインクを吐出して画像を形成するための記録ヘッド３を備えるヘッドユニット４と、インクカートリッジ２及びヘッドユニット４が搭載されるキャリッジ５と、このキャリッジ５を直線方向に往復移動させる駆動ユニット６と、キャリッジ５の往復移動方向に延び、記録ヘッド３と対向して配置されるプラテンローラ７と、メンテナンス手段としてのパージ装置８と、後述するセンサ１９とを備えている。本実施の形態においては、センサ１９は画像形成部１の内部に固定配置されている。ヘッドユニット４の載置部４ａ上には３つの仕切り板（図示せず）が立設されており、載置部４ａの両側に形成された一対のサイドカバー４ｂとの間で、載置部４ａは各仕切り板を介して４つのインクカートリッジ２の装着部に区画されている。この４つの装着部には、ブラック，シアン，マゼンタ，またはイエローのインクを収容したインクカートリッジ２が装着される。
【００６６】
駆動ユニット６は、キャリッジ５の下端部に配置されプラテンローラ７と平行に延びるキャリッジ軸９と、キャリッジ５の上端部に配置されキャリッジ軸９と平行に延びるガイド板１０と、そのキャリッジ軸９とガイド板１０との間であって、キャリッジ軸９の両端部に配置される２つのプーリ１１及び１２と、これらのプーリ１１及び１２の間に掛け渡されるエンドレスベルト１３とからなる。
【００６７】
そして、一方のプーリ１１が、キャリッジモータ１０１の駆動により、正逆回転されると、そのプーリ１１の正逆回転に伴って、エンドレスベルト１３に接合されているキャリッジ５が、キャリッジ軸９及びガイド板１０に沿って、直線方向に往復移動される。
【００６８】
記録紙Ｐは、画像形成部１の後方に設けられた後述の印刷給紙部２２（図１参照）から給紙され、記録ヘッド３と、プラテンローラ７との間に導入されて、記録ヘッド３から吐出されるインクにより所定の画像形成がなされ、その後、後述の印刷排紙部２３（図１参照）から複合機１００の外へ排出される。
【００６９】
パージ装置８は、プラテンローラ７の側方に設けられ、ヘッドユニット４がリセット位置にある時に、記録ヘッド３に対向するように配置されている。このパージ装置８は、記録ヘッド３の複数のノズル（図示せず）を覆うように当該ノズルの開口部に対し当接するパージキャップ１４と、吸引ポンプ１５及びカム１６と、インク貯留部１７を備えており、ヘッドユニット４が、リセット位置にある時に、記録ヘッド３のノズルをパージキャップ１４で覆い、記録ヘッド３の内部に溜まる気泡等を含んだ不良インクを、カム１６に駆動される吸引ポンプ１５によって吸引することにより、記録ヘッド３の回復を図るようにしている。なお、吸引された不良インクは、インク貯留部１７に貯められる。また、カム１６はパージモータ１０２（図３参照）によって駆動され、吸引ポンプ１５はパージモータ１０２の回転速度に応じた負圧を記録ヘッド３に印加する。
【００７０】
パージ装置８におけるプラテンローラ７側の位置には、パージ装置８に隣接してワイパ部材２０が配設されている。このワイパ部材２０は、へら状に形成されており、キャリッジ５の移動に伴って、記録ヘッド３のノズル面を拭うものである。キャップ１８は、インクの乾燥を防止するため、画像形成が終了するとリセット位置に戻される記録ヘッド３の複数のノズルを覆うものである。
【００７１】
また、画像形成部１は、インクカートリッジ２の被照射面からのノイズ信号（不要な反射光）を低減するべく、インクカートリッジ２の被照射面に非垂直に光が照射されるよう配設された光学式のセンサ１９を備え、そのセンサ１９によって検出される反射光量を閾値と比較してインクカートリッジ２内部のインク残量の検出及びインクカートリッジ２の識別を行うよう構成されている。なお、インクの残量は、後述のインク残量ドットカウンタ（検出手段に相当）によっても推定され、各種制御に利用される。
【００７２】
次に、図１に示すように、複合機１００の外周には、本体後側に印刷給紙部２２が、本体上部の後側に読取給紙部２４が、本体前側に印刷排紙部２３及び読取排紙部２５が、本体上面の中央部に表示パネル２６が、本体上部の前側に操作パネル３０が、それぞれ配設されている。
【００７３】
操作パネル３０は、「０」〜「９」の数字ボタン３１、「＊」ボタン３２、「＃」ボタン３３、利用すべき機能（コピー機能、スキャナ機能及びファクシミリ機能のいずれか）を切り替える機能ボタン３４、機能毎の設定を行う設定ボタン３５、スタートボタン３６、ソフトウェア電源キー及び切替手段としてのソフト電源キー３７などからなる。
【００７４】
ソフト電源キー３７は、ハードウェアスイッチにより物理的に１００Ｖの商用電源から複合機１００を切り離すものではなく、パネルやＲＴＣ（リアルタイムクロック）等のごく限られた部分にだけ電力を供給し、外見上、電源が入っていない状態に見せるためのものである。なお、ソフト電源キー３７がＯＦＦにされるとＬＣＤ等の表示はされないので、あたかも動作していないように見せることができる。
【００７５】
前述の画像形成部１は、印刷給紙部２２にセットされた用紙を印刷排紙部２３まで搬送しながら用紙への画像の印刷を行う構成要素である。また、複合機１００に内蔵されたスキャナ部４０（図３参照）は、読取給紙部２４にセットされた原稿を読取排紙部２５まで搬送しながら原稿に印刷された画像の読み取りを行う構成要素である。
【００７６】
次に、複合機１００の制御系の構成について、図３を用いて説明する。制御部５０は、ＣＰＵ５１，ＲＯＭ５２，ＲＡＭ５３，ＮＶＲＡＭ５４，ＰＣインターフェース部（ＰＣＩ／Ｆ）５５，ＮＣＵ（network control unit）５６等がバス５７を介して接続されてなるものである。また、バス５７には、前述の記録ヘッド３，センサ１９，表示パネル２６，操作パネル３０，スキャナ部４０，キャリッジモータ１０１，パージモータ１０２，ＬＦモータ１０３等が接続されている。なお、ＬＦモータ１０３は、プラテンローラ７等を駆動して記録紙Ｐを搬送するものである。
【００７７】
これらの内、ＣＰＵ５１は、予めＲＯＭ５２に記憶されている処理手順に従い、処理結果をＲＡＭ５３またはＮＶＲＡＭ５４に記憶させながら、複合機１００の各構成要素にバス５７経由で指令を送ることによって、複合機１００全体の動作を制御する。なお、ＲＡＭ５３には、後述の処理で利用する電源ＯＦＦモードＥＸＩＴフラグを記憶する電源ＯＦＦモードＥＸＩＴフラグ記憶領域５３ａが設けられている。また、不揮発性のＮＶＲＡＭ５４には、後述の処理で利用するFAX RECEIVE モードフラグを記憶するFAX RECEIVE モードフラグ記憶領域５４ａ、及び、電源モード情報フラグを記憶する電源モード情報フラグ記憶領域５４ｂが設けれている。ＰＣインタフェース部５５は、複合機１００を通信ケーブル経由で別の周知のパーソナルコンピュータ（ＰＣ）とデータ通信可能に接続するためのインターフェースである。また、ＮＣＵ５６は、複合機１００を電話回線網（通信回線に相当）に接続するためのインターフェースであり、接続手段及び受信手段に相当する。
【００７８】
なお、図３には、商用電源と電源プラグ１０５（図１参照）を介して接続される電源ユニットが記載されてはいないが、実際にはこの電源ユニットからＣＰＵ５１や各モータ等に電力が供給されている。
【００７９】
次に、制御部５０が実行する処理について、図４〜図１６のフローチャートを用いて説明する。なお、以下の各処理の説明において、電源ＯＦＦモードＥＸＩＴフラグ，FAX RECEIVE モードフラグ，電源モード情報フラグ（以下、単に電源モード情報という）の読み出しや設定は、前述の電源ＯＦＦモードＥＸＩＴフラグ記憶領域５３ａ，FAX RECEIVE モードフラグ記憶領域５４ａ，電源モード情報フラグ記憶領域５４ｂに対して行われるものとして、個々における説明を一部省略する。
【００８０】
複合機１００は、操作パネル３０上や筐体側面等に主電源の物理的（ハード）スイッチを備えていない。従って、複合機１００の電源プラグ１０５が、主電源の物理的（ハード）スイッチを構成している。制御部５０は、複合機１００の電源プラグ１０５が１００Ｖの商用電源に接続されると、図４に示す処理を開始する。図４に示すように、処理を開始すると制御部５０は、先ずＳ１にて（Ｓはステップを表す：以下同様）、各種初期設定を行う。図６は、このＳ１の各種初期設定処理を表すフローチャートである。図６に示すように、この処理では、各種ＷＯＲＫ情報を初期化し（Ｓ２）、タスクを起動すると共に初期化し（Ｓ３）、記録を初期化し（Ｓ４）、読み取りを初期化し（Ｓ５）、更にその他の初期化を行った後（Ｓ６）、タイマのカウントをスタートして（Ｓ７）、図４のＳ１２へ移行する。
【００８１】
Ｓ１２では、上記電源モード情報を参照することにより、電源ＯＦＦモードであるか否かを判断する。電源ＯＦＦモードでない場合は（Ｓ１２：Ｎ）、Ｓ１３へ移行して未送信のＦＡＸデータ（画像データ）があるか否かを判断する。未送信のデータがある場合は（Ｓ１３：Ｙ）、Ｓ１４へ移行し、別ルーチンとして実行される未送信データの送信処理を起動し、再びＳ１３へ移行する。こうして、Ｓ１３，Ｓ１４の処理を繰り返して全ての未送信データを送信すると、Ｓ１３にて否定判断してＳ１５へ移行する。
【００８２】
Ｓ１５では、ＩＣＭ録音があるか否かを判断する。ＩＣＭ録音がある場合は（Ｓ１５：Ｙ）、Ｓ１６にて表示パネル２６に「ＩＣＭ録音あり」と表示することによりＩＣＭ録音があることを報知し、続くＳ１７へ移行する。また、Ｓ１５にてＩＣＭ録音がないと判断した場合は（Ｓ１５：Ｎ）、Ｓ１６を通らず直接Ｓ１７へ移行する。
【００８３】
Ｓ１７では、いずれかのインクカートリッジ２にインクが僅かになったことを表すインクエンプティの情報があるか否かを判断する。インクエンプティの情報がある場合は（Ｓ１７：Ｙ）、Ｓ１８にて表示パネル２６を介して「インクカートリッジ交換」を報知した後、インクエンプティの情報がない場合はそのまま（Ｓ１７：Ｎ）、Ｓ２１へ移行する。
【００８４】
Ｓ２１では、上記タイマのカウントに基づき所定時間が経過したか否かを判断し、所定時間が経過していない場合は（Ｓ２１：Ｎ）、Ｓ２２へ移行して割り込みがあったか否かを判断する。割り込みがない場合は、再びＳ２１へ移行し、このＳ２１，Ｓ２２のループ処理により、割り込みがあるか所定時間が経過するかするまで待機する。
【００８５】
所定時間が経過するまでに割り込みがあると（Ｓ２２：Ｙ）、Ｓ２３にて、その割り込みが操作パネル３０からのものか否かを判断する。操作パネル３０からのものでなかった場合（Ｓ２３：Ｎ）、すなわち、ＰＣインタフェース部５５や図示しないＵＳＢからの信号入力等であった場合、Ｓ２４にてＯＮモード割込処理を実行し、その信号等に対する周知の割込処理を行う。Ｓ２４に続くＳ２５では、上記タイマのカウントをリセットすると共にスタートし、再びＳ２１，Ｓ２２のループ処理へ移行する。
【００８６】
割り込みが操作パネル３０からのものであった場合は（Ｓ２３：Ｙ）、Ｓ２６にてそれがキー入力であるか否かを判断する。キー入力でない場合は（Ｓ２６：Ｎ）、Ｓ２７にて対応するその他のパネル処理を実行した後、前述のＳ２５を介してＳ２１，Ｓ２２のループ処理へ移行する。また、キー入力であった場合は（Ｓ２６：Ｙ）、Ｓ２８にてそれがソフト電源キー３７のキー入力か否かを判断する。ソフト電源キー３７のキー入力でない場合は（Ｓ２８：Ｎ）、Ｓ２９にて入力キーに従う処理を実行し、前述のＳ２５を介してＳ２１，Ｓ２２のループ処理へ移行する。Ｓ２９の処理とは、例えば、数字ボタン３１を介してＦＡＸ送信先の番号が入力されたときに、その番号をＲＡＭ５３に記憶すると共に表示パネル２６に表示する処理などである。
【００８７】
一方、Ｓ２１，Ｓ２２のループ処理中に所定時間が経過してしまった場合は（Ｓ２１：Ｙ）、Ｓ３１へ移行し、スリープモード移行処理を実行する。このスリープモード移行処理は、図７に示すように、各種Ｉ／Ｏや各種チップの消費電力が減少するように設定し（Ｓ３２）、ＣＰＵ５１をスリープさせる（Ｓ３３）処理である。このスリープモード移行処理（Ｓ３１）の終了後は、Ｓ３５にて、割り込みがあるまで待機する。なお、Ｓ３５による待機中（すなわちスリープモード時）には、表示パネル２６は「ＳＬＥＥＰ」と表示され続け、ＬＥＤはスリープモードへ移行したときの状態、すなわち、点灯状態，点滅状態，消灯状態等の各状態のうち１つの状態を継続し続ける。
【００８８】
そして、Ｓ３５による待機中に割り込みがあると（Ｓ３５：Ｙ）、Ｓ３６の電源ＯＮモード復帰処理を実行した後、前述のＳ２５を介してＳ２１，Ｓ２２のループ処理へ移行する。なお、電源ＯＮモード復帰処理とは、図８に示すように、各種Ｉ／Ｏや各種チップの消費電力を通常に設定する（Ｓ３７）処理である。
【００８９】
更に、Ｓ２１，Ｓ２２のループ処理中にソフト電源キー３７が押下された場合は、前述のＳ２２，Ｓ２３，Ｓ２６，Ｓ２８でそれぞれ肯定判断してＳ４１へ移行する。Ｓ４１では、図９に示す電源ＯＦＦモード移行処理を実行する。
【００９０】
この電源ＯＦＦモード移行処理では、先ず、Ｓ４２にて、別ルーチンで実行中の処理はないか判断する。実行中の処理がある場合は（Ｓ４２：Ｎ）、そのままＳ４２にて待機し、実行中の処理がなくなると（Ｓ４２：Ｙ）、Ｓ４３へ移行してＮＶＲＡＭ５４の電源モード情報を電源ＯＦＦモードに設定する。続いて、表示パネル２６等のＬＣＤやＬＥＤ（表示手段に相当）を消灯し（Ｓ４４）、各種Ｉ／Ｏや各種チップの消費電力が低減するように設定し（Ｓ４５）、ＣＰＵ５１をスリープさせて（Ｓ４６）、図５に示すＳ５１の処理へ移行する。
【００９１】
Ｓ５１では、割り込みがあるまで待機し、割り込みがあると（Ｓ５１：Ｙ）、Ｓ５２へ移行する。Ｓ５２では、その割り込みが操作パネル３０からの入力か否かを判断し、操作パネル３０からのものである場合（Ｓ５２：Ｙ）、更に、続くＳ５３にて、それがソフト電源キー３７によるものか否かを判断する。ソフト電源キー３７によるものでない場合は（Ｓ５３：Ｎ）、そのキー入力を無視して（Ｓ５４）、再びＳ５１へ移行する。
【００９２】
一方、上記割り込みがソフト電源キー３７によるものであった場合は（Ｓ５３：Ｙ）、Ｓ５５へ移行して電源ＯＮモード移行処理を実行した後、図４のＳ１から処理を再開する。なお、Ｓ５５の電源ＯＮモード移行処理とは、図１０に示すように、ＮＶＲＡＭ５４の電源モード情報を電源ＯＮモードに設定し（Ｓ５６）、ＣＰＵ５１をリスタートさせる（Ｓ５７）処理である。
【００９３】
また、Ｓ５１による待機中、すなわち電源ＯＦＦモードにおける待機中にパネル以外から割り込みがあると（Ｓ５１：Ｙ，Ｓ５２：Ｎ）、Ｓ５８へ移行し、ＯＦＦモード割込処理を実行する。このＯＦＦモード割込処理の詳細を、図１１に示す。この処理では、上記割り込みがＲＴＣ（ Real Time Clock）による割り込みであるか否か（Ｓ６０）、ＣＩによる割り込みであるか否か（Ｓ６１）、を順次判断する。いずれでもない場合は（Ｓ６０：Ｎ，Ｓ６１：Ｎ）、そのまま図５のＳ５１へ移行する。また、ＣＩによる割り込みであった場合は（Ｓ６１：Ｙ）、Ｓ６２にて、FAX RECEIVE モードがＯＮに設定されているか否かを、FAX RECEIVE モードフラグに基づいて判断する。そして、FAX RECEIVE モードがＯＦＦの場合（Ｓ６２：Ｎ）、上記と同様にそのままＳ５１へ移行する。
【００９４】
すなわち、ＯＦＦモード割込処理では、ＲＴＣ，ＣＩ以外の割り込みを無視し（Ｓ６１：Ｎ）、ＣＩの割り込みであってもFAX RECEIVE モードがＯＦＦの場合は無視する（Ｓ６２：Ｎ）。
【００９５】
そして、上記割り込みがＲＴＣであった場合（Ｓ６０：Ｙ）、並びに、上記割り込みがＣＩであって（Ｓ６１：Ｙ）、かつ、FAX RECEIVE モードがＯＮの場合は（Ｓ６２：Ｙ）、Ｓ６３へ移行して一時復帰割込処理が実行される。図１２は、この一時復帰割込処理を表すフローチャートである。
【００９６】
図１２に示すように、この処理では、先ず、Ｓ６４にて、一時復帰モード移行処理を実行する。一時復帰モード移行処理とは、図１３に示すように、各種Ｉ／Ｏや各種チップの消費電力を通常に設定する（Ｓ６５）処理である。続いて、図１２のＳ６６へ移行し、上記割り込みがＲＴＣ割り込みであったか否かを判断する。ＲＴＣ割り込みであった場合は（Ｓ６６：Ｙ）、続くＳ６７へ移行し、温度測定タイミングがタイムアップしているか否かを判断する。温度測定タイミングがタイムアップしている場合は（Ｓ６７：Ｙ）、Ｓ６８にて温度測定を実行し、続くＳ６９で、パージタイミングもタイムアップしているか否かを判断する。パージタイミングもタイムアップしている場合は（Ｓ６９：Ｙ）、Ｓ７０へ移行し、電源ＯＦＦモード中パージ処理を実行する。
【００９７】
図１４は、この電源ＯＦＦモード中パージ処理を表すフローチャートである。この処理では、先ず、Ｓ７１にて、黒インクに関するインク残量ドットカウンタの値が、予め設定されたパージドットカウント値よりも大きいか否か（Ｅ：黒インク、他の色も同様に表現）を判断する。インク残量ドットカウンタとは、インクカートリッジ２を新品と交換したときにそのインクカートリッジ２のサイズに応じた所定値にセットされ、１ドット分のインクを吐出する毎にデクリメントされるカウンタである。すなわち、Ｓ７１では、黒のインクカートリッジ２に収容されている黒インクの量（インク残量ドットカウンタの値に対応）がパージ処理を実行するのに必要な量（パージドットカウント値に対応）だけあるか否かを判断する。インク残量ドットカウンタの値がパージドットカウント値以下の場合は（Ｓ７１：Ｎ）、Ｓ７２にて黒インクがエンプティ（空）であることをＲＡＭ５３に記憶した後、インク残量ドットカウンタの値がパージドットカウント値よりも大きい場合はそのまま（Ｓ７１：Ｙ）、Ｓ７３へ移行する。
【００９８】
Ｓ７３では、シアンインク（Ｃインク）に関するインク残量ドットカウンタの値が、予め設定されたパージドットカウント値よりも大きいか否かを判断する。インク残量ドットカウンタの値がパージドットカウント値以下の場合は（Ｓ７３：Ｎ）、Ｓ７４にてシアンインクがエンプティであることをＲＡＭ５３に記憶した後、インク残量ドットカウンタの値がパージドットカウント値よりも大きい場合はそのまま（Ｓ７３：Ｙ）、Ｓ７５へ移行する。
【００９９】
以下同様に、Ｓ７５では、マゼンタインク（Ｍインク）に関するインク残量ドットカウンタの値が、予め設定されたパージドットカウント値よりも大きいか否かを判断する。インク残量ドットカウンタの値がパージドットカウント値以下の場合は（Ｓ７５：Ｎ）、Ｓ７６にてマゼンタインクがエンプティであることをＲＡＭ５３に記憶した後、インク残量ドットカウンタの値がパージドットカウント値よりも大きい場合はそのまま（Ｓ７５：Ｙ）、Ｓ７７へ移行する。
【０１００】
Ｓ７７では、イエローインク（Ｙインク）に関するインク残量ドットカウンタの値が、予め設定されたパージドットカウント値よりも大きいか否かを判断する。インク残量ドットカウンタの値がパージドットカウント値以下の場合は（Ｓ７７：Ｎ）、Ｓ７８にてイエローインクがエンプティであることをＲＡＭ５３に記憶した後、インク残量ドットカウンタの値がパージドットカウント値よりも大きい場合はそのまま（Ｓ７７：Ｙ）、Ｓ７９へ移行する。
【０１０１】
Ｓ７９では、上記Ｓ７１〜Ｓ７８の処理により、エンプティであることを記憶されたインクカートリッジ２があるか否かを判断する。エンプティのインクカートリッジ２が１つもない場合は（Ｓ７９：Ｎ）、Ｓ８０へ移行する。Ｓ８０では、パージ用のキャリッジモータ（ＣＲモータ）駆動テーブルを電源ＯＦＦモード中用のテーブルに、すなわち低速モードのテーブルに設定する。続くＳ８１では、パージ用のキャリッジモータ電流値テーブルを電源ＯＦＦモード中用のテーブルに、すなわち低速モードのテーブルに設定する。
【０１０２】
そして、続くＳ８２では、低速モードでパージ処理を実行する。このパージ処理では、Ｓ８０，Ｓ８１の設定によりキャリッジモータ１０１が低速で駆動されるばかりでなく、パージモータ１０２も低速で駆動され、記録ヘッド３の不良インクは吸引ポンプ１５によってゆっくりと吸引される。続くＳ８３では、電源ＯＦＦモードＥＸＩＴフラグをクリア（すなわち「０」に設定）して、図１２のＳ８４へ移行する。
【０１０３】
一方、上記Ｓ７１〜Ｓ７８の処理によりエンプティであることを記憶されたインクカートリッジ２があった場合は（Ｓ７９：Ｙ）、Ｓ８５にて、電源ＯＦＦモードＥＸＩＴフラグをセット（すなわち「１」に設定）して、図１２のＳ８４へ移行する。
【０１０４】
Ｓ８４では、上記電源ＯＦＦモードＥＸＩＴフラグが「１」であるか否かを判断する。そして、電源ＯＦＦモードＥＸＩＴフラグが「１」である場合は（Ｓ８４：Ｙ）、図５のＳ５５へ移行して電源ＯＮモード移行処理を実行した後、図４のＳ１から処理を再開する。このため、メンテナンス動作の実行がインク切れによって困難になった場合は、複合機１００を電源ＯＮモードに戻して、Ｓ１８の処理に基づく表示などの必要な処理を実行することができる。
【０１０５】
図１２に戻って、一方、電源ＯＦＦモードＥＸＩＴフラグが「０」である場合は（Ｓ８４：Ｎ）、Ｓ８６へ移行する。また、前述のＳ６７で温度測定タイミングがタイムアップしていない（Ｎ）と判断したときや、Ｓ６９でパージタイミングがタイムアップしていない（Ｎ）と判断したときは、それ以降の処理を飛ばして直接Ｓ８６へ移行する。
【０１０６】
Ｓ８６では、タイマ送信のタイミングがタイムアップしているか否かを判断する。タイマ送信のタイミングがタイムアップしている場合は（Ｓ８６：Ｙ）、Ｓ８７へ移行し、FAX RECEIVE モードがＯＮになっているか否かを判断する。FAX RECEIVE モードがＯＮになっている場合は（Ｓ８７：Ｙ）、Ｓ８９にて別ルーチンのＦＡＸ送信処理を起動した後、ＯＦＦになっている場合はそのまま（Ｓ８７：Ｎ）、Ｓ９０へ移行する。また、Ｓ８６にてタイマ送信のタイミングがタイムアップしていない（Ｎ）と判断した場合は、Ｓ８６から直接Ｓ９０へ移行する。
【０１０７】
Ｓ９０では、別ルーチンで実行中の処理はないか判断し、実行中の処理がある場合は（Ｓ９０：Ｎ）、そのままＳ９０にて待機する。実行中の処理がなくなると（Ｓ９０：Ｙ）、Ｓ９１にて１０秒タイマをセットし、続くＳ９２で１０秒経過するまで待機する。１０秒が経過すると、Ｓ９３の一時復帰モード終了処理を実行した後、図５のＳ５１へ移行する。なお、一時復帰モード終了処理とは、図１５に示すように、各種Ｉ／Ｏや各種チップの消費電力が減少するように設定し（Ｓ９４）、ＣＰＵ５１をスリープさせる（Ｓ９５）処理である。また、Ｓ８７で否定判断したことによりタイマ送信（Ｓ８９）を禁止されたＦＡＸデータは、ソフト電源キー３７が押下されて（Ｓ５３：Ｙ）、Ｓ５５，Ｓ１，Ｓ１２，Ｓ１３を経て図４のＳ１４まで移行したときに送信される。
【０１０８】
一方、上記割り込みがＲＴＣ割り込みでなかった場合（Ｓ６６：Ｎ）、すなわち上記割り込みがＣＩ割り込みであった場合は（図１１参照）、Ｓ９９へ移行し、着信モードがＴＡＤ，ＦＴ，ＦＡＸのいずれかのモードであるか否かを判断する。いずれのモードでもない場合は（Ｓ９９：Ｎ）、前述のＳ９０へ移行し、いずれかのモードである場合は（Ｓ９９：Ｙ）、Ｓ１００にて電源ＯＦＦモード中受信処理を実行した後、Ｓ９０へ移行する。
【０１０９】
図１６は、この電源ＯＦＦモード中受信処理を表すフローチャートである。図１６に示すように、この処理では、先ずＳ１０１にて、ＣＩ回数が設定呼出回数に達するまで待機する。ＣＩ回数が設定呼出回数に達すると（Ｓ１０１：Ｙ）、Ｓ１０２にて回線を閉結し、続くＳ１０３にて、着信モードがＴＡＤモードであるか否かを判断する。
【０１１０】
着信モードがＴＡＤモードである場合は（Ｓ１０３：Ｙ）、Ｓ１０４にて周知の留守番電話処理を実行し、続くＳ１０５で、新規ＩＣＭ録音があるか否かを判断する。新規ＩＣＭ録音がない場合は（Ｓ１０５：Ｎ）、図１２のＳ９０へ移行し、新規ＩＣＭ録音がある場合は（Ｓ１０５：Ｙ）、図５のＳ５５へ移行して電源ＯＮモード移行処理を実行した後、Ｓ１から処理を再開する。このため、新規ＩＣＭ録音があった場合は、複合機１００を電源ＯＮモードに戻して、Ｓ１６の処理に基づく表示などの必要な処理を実行することができる。
【０１１１】
一方、着信モードがＴＡＤモードでない場合は（Ｓ１０３：Ｎ）、Ｓ１１０へ移行して、着信モードがＦＴモードであるか否かを判断する。着信モードがＦＴモードである場合は（Ｓ１１０：Ｙ）、Ｓ１１１へ移行して、受信したデータがＦＡＸデータであるか否か（ＦＡＸ受信であるか否か）を判断する。ＦＡＸ受信でない場合は（Ｓ１１１：Ｎ）、そのまま図１２のＳ９０へ移行する。
【０１１２】
一方、Ｓ１１１にてＦＡＸ受信である（Ｙ）と判断した場合、及び、Ｓ１１０にてＦＴモードでない（Ｎ）と判断した場合（すなわちＦＡＸモードの場合）は、Ｓ１１２へ移行し、インク残量ドットカウンタの値に基づいてインクは充分あるか否かを判断する。インクが充分ある場合は（Ｓ１１２）、Ｓ１１３にて、ＦＡＸデータを受信して対応する画像を記録紙Ｐへ記録し、図１２のＳ９０へ移行する。一方、インクが充分にない場合は（Ｓ１１２：Ｎ）、Ｓ１１４にて代行受信を行ってＳ９０へ移行する。
【０１１３】
以上の処理によるモード切り替えの状態遷移を、図１７の状態遷移図にまとめた。図１７に示すように、複合機１００は、ＬＥＤ，ＬＣＤがＯＮで、ＣＰＵ５１が起きていて各種動作を実行可能な電源ＯＮモード（Ｓ１〜Ｓ３６）と、ＬＥＤ，ＬＣＤがＯＦＦ、ＣＰＵ５１もスリープしている電源ＯＦＦモード（Ｓ５１〜Ｓ５８）とを備え、両モードはソフト電源キー３７の押下によって切り替えられる（Ｓ２８，Ｓ５３）。また、電源ＯＮモード中に何等割り込みがないまま所定時間経過が経過したことをタイマ計時によって検出すると（Ｓ２１：Ｙ）、スリープモードへ移行する。このスリープモードでは、ＬＣＤはＯＮで、ＬＥＤは点灯，消灯，点滅等の各状態を保持し、ＣＰＵ５１はスリープする。カバーオープン，キー入力，ＣＩ割り込み，ＲＴＣ割り込み，ＵＳＢ割り込み等の何らかの割り込みがあると（Ｓ３５：Ｙ）、スリープモードから電源ＯＮモードへ移行する。
【０１１４】
一方、電源ＯＦＦモードでは、カバーオープン，ＰＣプリント命令，ＵＳＢ割り込み等の殆どの割り込みは無視されるが、ＲＣＴ割り込みがあった場合（Ｓ６０：Ｙ）、及び、FAX RECEIVE モードがＯＮのときにＣＩ割り込みがあった場合は（Ｓ６２：Ｙ）、一時復帰モード（Ｓ６６〜Ｓ９２）へ移行する。一時復帰モードでは、ＬＥＤ，ＬＣＤはＯＦＦであるがＣＰＵ５１は起きており、低速モードでのパージ処理やＦＡＸ受信，ＩＣＭ受信がなされ、更にFAX RECEIVE モードがＯＮの場合はタイマ送信もなされる。動作終了後１０秒経過すると（Ｓ９２：Ｙ）、一時復帰モードから再び電源ＯＦＦモードへ移行する。また、一時復帰モード中にインクエンプティを検出した場合や（Ｓ７９：Ｙ）、新規ＩＣＭ録音があった場合は（Ｓ１０５：Ｙ）、一時復帰モードから電源ＯＮモードへ直接移行する。
【０１１５】
以上説明したように、本実施の形態の複合機１００では、FAX RECEIVE モードをＯＦＦに設定しておくかＯＮに設定しておくかによって、電源ＯＦＦモード中にメンテナンス動作（Ｓ６８，Ｓ７０）のみを認めるか、メンテナンス動作以外にもタイマ送信（Ｓ８９）やＣＩ割り込みに対する受信処理（Ｓ１００）も認めるかを切り替えている。タイマ送信やＣＩ割り込みに対する受信処理は、騒音を発生する可能性が高い一方、遅滞なく処理を実行したいという要請もある。従って、これらの処理を電源ＯＦＦモード中に許可するか否か切替可能に構成した複合機１００は、極めて良好に使用者の要望を満たすことができる。しかも、これらの割り込み処理は一時復帰モードへ移行することによってなされ、処理終了後には、次の場合を除いて再び電源ＯＦＦモードへ移行してＬＥＤやＬＣＤも消灯しているので、極めて良好に消費電力を低減することができる。
【０１１６】
複合機１００では、電源ＯＦＦモード中に新たなＩＣＭ録音があったときや（Ｓ１０５：Ｙ）、メンテナンス動作時にインクエンプティを検出した場合（Ｓ８４：Ｙ）、電源ＯＮモードへ移行している。このため、Ｓ１６やＳ１８でそのことを報知することができ、使用者にとって一層利便性が向上する。しかも、インクエンプティを検出した場合は、メンテナンス動作が実行されないので、記録ヘッド３を良好に保護することができる。
【０１１７】
また、複合機１００では、電源ＯＦＦモード中のタイマ送信が禁止されていた場合、ソフト電源キー３７の押下や上記検出等によって電源ＯＮモードへ移行したときに、タイマ送信すべきであったＦＡＸデータを送信している（Ｓ１４）。このため、本来設定時間に送信すべきであったＦＡＸデータをできるだけ早期に送信することができる。
【０１１８】
なお、電源ＯＦＦモード中でFAX RECEIVE モードがＯＦＦの場合でも、タイマ送信が禁止されないようにしてもよく、この場合、Ｓ８６で肯定判断したときに直接Ｓ８９へ移行するようにすればよい。また、FAX RECEIVE モードフラグ以外の更なるフラグを設け、Ｓ８７ではFAX RECEIVE モードフラグの代わりにそのフラグを参照するようにしてもよい。この場合、電源ＯＦＦモード中でFAX RECEIVE モードがＯＦＦのときに、タイマ送信を禁止するか否かを使用者の所望に応じて切り替えることができる。
【０１１９】
また、本発明は上記実施の形態に何等限定されるものではなく、本発明の要旨を逸脱しない範囲で種々の形態で実施することができる。例えば、上記実施の形態では、省電力モードとしての電源ＯＦＦモード中にＲＴＣとＣＩの割り込みを認め、その内ＣＩ割り込みはFAX RECEIVE モードがＯＮのときにのみ認めているが（図１１参照）、この他にカバーオープン等の割り込みを認めてもよい。この場合、安眠を妨げられたくない使用者の利便性を考えると、カバーオープンの割り込みも、ＣＩ割り込みと同様にFAX RECEIVE モードがＯＮのときにのみ認めるのが望ましい。
【０１２０】
更に、ＲＴＣ割り込みはパージタイミングである場合もタイマ送信のタイミングである場合も同様の割り込み信号として発生するため、上記実施の形態では、全てのＲＴＣ割り込みをメンテナンス動作を実行するための割り込みとして広い意味で捉え、その割り込みが発生した場合には（Ｓ６０：Ｙ）、FAX RECEIVE モードがＯＮであるか否かに関わらず一時復帰モードへ移行している。これに対して、FAX RECEIVE モードがＯＦＦである場合は、ＲＴＣ割り込みがあり、かつ、パージタイミングである場合のみ、一時復帰モードへ移行するようにしてもよい。
【０１２１】
また更に、上記実施の形態では、電源ＯＦＦモード中は低速モードでパージを実行しているので（Ｓ８０〜Ｓ８２）、電源ＯＦＦモード中における低騒音化を一層推進することができるが、これは、FAX RECEIVE モードがＯＮであるか否かに応じて切り替えてもよい。図１８は、電源ＯＦＦモード中パージ処理をFAX RECEIVE モードがＯＮであるか否かに応じて切り替える場合の処理を表すフローチャートである。なお、図１８では、図１４のフローチャートと同様に構成した部分には同一の符号を付し、詳細な説明を省略する。
【０１２２】
図１８に示すように、本実施の形態では、Ｓ７９にてエンプティのインクカートリッジ２が１つもない（Ｎ）と判断した場合、Ｓ１７９へ移行し、FAX RECEIVE モードがＯＮであるか否かを判断する。FAX RECEIVE モードがＯＦＦの場合は（Ｓ１７９：Ｎ）、前述の実施の形態と同様に、Ｓ８０〜Ｓ８２の処理にて低速でパージ処理を実行し、Ｓ８３へ移行する。
【０１２３】
一方、FAX RECEIVE モードがＯＮの場合は（Ｓ１７９：Ｙ）、次のようにＳ１８０〜１８２の処理にて通常通りにパージ処理を実行して、Ｓ８３へ移行する。すなわち、Ｓ１８０では、パージ用のキャリッジモータ駆動テーブルを電源ＯＮモード中用のテーブル（通常モードのテーブル）に設定する。続くＳ１８１では、パージ用のキャリッジモータ電流値テーブルを電源ＯＮモード中用のテーブル（通常モードのテーブル）に設定する。そして、続くＳ１８２では、通常モード（パージモータ１０２の速度も通常）でパージ処理を実行するのである。この結果、FAX RECEIVE モードがＯＮの場合は、記録ヘッド３のインクを通常通りに勢いよく吸引することができる。また、この他にも、FAX RECEIVE モードのＯＮ／ＯＦＦに応じて許可／禁止を切り替える動作としては種々の形態が考えられる。
【０１２４】
なお、上記実施の形態において、電源ＯＮモードが通常電力モードに、電源ＯＦＦモードが省電力モードに、それぞれ相当し、FAX RECEIVE モードがＯＮの状態が許可モードに、FAX RECEIVE モードがＯＦＦの状態が禁止モードに、Ｓ８０〜Ｓ８２が第２のメンテナンスモードに、Ｓ１８０〜Ｓ１８２が第１のメンテナンスモードに、それぞれ相当する。そして、FAX RECEIVE モードを切り替えるための設定ボタン３５がモード設定手段に相当し、上記処理の内、Ｓ１０４が記憶手段に、Ｓ６４，Ｓ８４，Ｓ９３，Ｓ１０５がモード移行制御手段に、Ｓ６０，Ｓ６１が割り込み認識手段に、Ｓ１４，Ｓ８９がタイマ送信手段に、それぞれ相当する。
【図面の簡単な説明】
【０１２５】
【図１】本発明が適用された複合機の外観を表す斜視図である。
【図２】その複合機に内蔵された画像形成部の構成を表す斜視図である。
【図３】その複合機の制御系の構成を表すブロック図である。
【図４】その制御系が実行する処理のメインルーチンを表すフローチャートである。
【図５】そのメインルーチンの続きを表すフローチャートである。
【図６】そのメインルーチンにおける各種初期設定処理を表すフローチャートである。
【図７】そのメインルーチンにおけるスリープモード移行処理を表すフローチャートである。
【図８】そのメインルーチンにおける電源ＯＮモード復帰処理を表すフローチャートである。
【図９】そのメインルーチンにおける電源ＯＦＦモード移行処理を表すフローチャートである。
【図１０】そのメインルーチンにおける電源ＯＮモード移行処理を表すフローチャートである。
【図１１】そのメインルーチンにおけるＯＦＦモード割込処理を表すフローチャートである。
【図１２】そのＯＦＦモード割り込み処理における一時復帰割込処理を表すフローチャートである。
【図１３】その一時復帰割込処理における一時復帰モード移行処理を表すフローチャートである。
【図１４】その一時復帰割込処理における電源ＯＦＦモード中パージ処理を表すフローチャートである。
【図１５】その一時復帰割込処理における一時復帰モード終了処理を表すフローチャートである。
【図１６】その一時復帰割込処理における電源ＯＦＦモード中受信処理を表すフローチャートである。
【図１７】上記各処理おけるモード切り替えの状態遷移を表す状態遷移図である。
【図１８】上記電源ＯＦＦモード中パージ処理の変形例を表すフローチャートである。
【符号の説明】
【０１２６】
１…画像形成部    ２…インクカートリッジ  ３…記録ヘッド        ５…キャリッジ
６…駆動ユニット  ８…パージ装置１        ５…吸引ポンプ        ２６…表示パネル
３０…操作パネル  ３５…設定ボタン        ３７…ソフト電源キー  ５０…制御部
５１…ＣＰＵ      ５２…ＲＯＭ            ５３…ＲＡＭ
５３ａ…電源ＯＦＦモードＥＸＩＴフラグ記憶領域                  ５４…ＮＶＲＡＭ
５４ａ…モードフラグ記憶領域              ５４ｂ…電源モード情報フラグ記憶領域
１００…複合機    １０１…キャリッジモータ    １０２…パージモータ    Ｐ…記録紙
【図１】
2005035255.tif 000003
【図２】
2005035255.tif 000004
【図３】
2005035255.tif 000005
【図４】
2005035255.tif 000006
【図５】
2005035255.tif 000007
【図６】
2005035255.tif 000008
【図７】
2005035255.tif 000009
【図８】
2005035255.tif 000010
【図９】
2005035255.tif 000011
【図１０】
2005035255.tif 000012
【図１１】
2005035255.tif 000013
【図１２】
2005035255.tif 000014
【図１３】
2005035255.tif 000015
【図１４】
2005035255.tif 000016
【図１５】
2005035255.tif 000017
【図１６】
2005035255.tif 000018
【図１７】
2005035255.tif 000019
【図１８】
2005035255.tif 000020